(57)【要約】【課題】印刷用紙の仕様に応じた印刷条件を簡便かつ正確にプリンタ装置へ設定することを可能にする。【解決手段】外部から与えられる印刷データの表わす文字などの印刷を、印刷用紙の仕様から定まる印刷条件にしたがって用紙トレイにセットされている印刷用紙へ実行する印刷部と、用紙トレイにセットされ得る複数種の印刷用紙の各々について、その用紙種別に対応付けてその印刷用紙についての印刷条件を示す印刷条件データを格納した管理テーブルと、用紙トレイにセットされる印刷用紙の用紙種別を示す画像を読み取る画像読み取り部と、画像読み取り部により読み取った画像を解析して前記用紙トレイにセットされた印刷用紙の用紙種別を判別し、その用紙種別に対応する印刷条件データを管理テーブルから読み出して印刷部に与える制御部とを有するプリンタ装置を提供する。【選択図】図１
2009051160.tif 000002
【特許請求の範囲】
【請求項１】
外部から与えられる印刷データの表わす文字、図形または画像を用紙トレイにセットされている印刷用紙へ印刷して排紙する処理を、前記印刷用紙の仕様から定まる印刷条件にしたがって実行する印刷部と、
前記用紙トレイにセットされ得る複数種の印刷用紙の各々について、その用紙種別に対応付けてその印刷用紙についての印刷条件を示す印刷条件データを格納した管理テーブルと、
前記用紙トレイにセットされる印刷用紙の包装からその印刷用紙の用紙種別を示す画像を読み取る画像読み取り部と、
前記画像読み取り部により読み取った画像を解析して前記用紙トレイにセットされる印刷用紙の用紙種別を判別する第１の処理と、前記第１の処理にて判別された用紙種別に対応する印刷条件データを前記管理テーブルから読み出す第２の処理と、前記第２の処理により読み出した印刷条件データを前記印刷部に与え、その作動制御を行う第３の処理とを実行する制御部と、
を有することを特徴とするプリンタ装置。
【請求項２】
前記用紙種別を示す画像は、印刷用紙束の包装に付されている販売管理用バーコードの画像である
ことを特徴とする請求項１に記載のプリンタ装置。
【請求項３】
文字、図形または画像を表す印刷データと印刷用紙の仕様から定まる印刷条件を示す印刷条件データとをプリンタ装置に与え、そのプリンタ装置の作動制御を行うプリンタ制御装置であって、
前記プリンタ装置にセットされ得る複数種の印刷用紙の各々について、その用紙種別に対応付けてその印刷用紙についての印刷条件を示す印刷条件データを格納した管理テーブルと、
前記プリンタ装置にセットされる印刷用紙の包装からその印刷用紙の用紙種別を示す画像を読み取る画像読み取り部と、
前記画像読み取り部により読み取った画像を解析して前記プリンタ装置にセットされる印刷用紙の用紙種別を判別する第１の処理と、前記第１の処理にて判別された用紙種別に対応する印刷条件データを前記管理テーブルから読み出す第２の処理と、前記第２の処理により読み出した印刷条件データを前記プリンタ装置に与え、その作動制御を行う第３の処理とを実行する制御部と、
を有することを特徴とするプリンタ制御装置。
【発明の詳細な説明】
【技術分野】
【０００１】
本発明は、プリンタ装置を正しく動作させるための技術に関する。
【背景技術】
【０００２】
近年では、パーソナルコンピュータ（以下、ＰＣ）などに接続して使用するプリンタ装置が広く普及しており、カラー印刷や写真画質での印刷を行える機種も一般に流通している。また、印刷用紙についても様々な用紙サイズや厚さ、光沢や紙質（以下、印刷用紙の仕様）のものが流通しており、ユーザは各自の目的に応じた仕様の印刷用紙を選択して利用することが可能になっている。このように様々な仕様の印刷用紙がセットされ得るため、プリンタ装置で画像などの印刷を行う際には、印刷に用いる印刷用紙（すなわち、プリンタ装置の用紙トレイにセットされた印刷用紙）の仕様に応じた印刷条件（用紙サイズに応じて定まる印刷範囲や、印刷用紙の厚さに応じて定まるプリンタヘッドの位置など）を予め設定する必要がある。従来、このような設定作業は、プリンタドライバなどにより表示される印刷条件設定画面を介して行われることが一般的であった（例えば、特許文献１：段落００３３）。以下、従来のプリンタ装置に対する印刷条件設定方法の一例を図７を参照しつつ説明する。
【０００３】
図７（ａ）は、プリンタドライバなどにより表示される印刷条件設定画面の一例を示す図である。図７（ａ）に示す印刷条件設定画面を視認したユーザは、印刷するページ範囲（すべてのページを印刷するのかなど）を指定したり、印刷する部数を指定したりすることができる。また、上記ユーザは、図７（ａ）のプロパティボタンＢ０１を押下して図７（ｂ）に示す詳細設定画面を表示させることができる。図７（ｂ）に示す詳細設定画面では、使用する印刷用紙の用紙サイズや印刷の方向、用紙種類等を指定することができる。具体的には、上記ユーザはリストボックスＬＢ０１を押下することにより、図７（ｃ）に示す用紙サイズリストを表示させ、印刷に使用する印刷用紙の用紙サイズを指定することができる。また、上記ユーザは、図７（ｂ）に示す詳細設定画面のリストボックスＬＢ０２を押下することにより、図７（ｄ）に示す用紙種類リストを表示させ、印刷に使用する印刷用紙の用紙種類を指定することができるのである。
【特許文献１】特開２００５−３４１２１５号公報
【発明の開示】
【発明が解決しようとする課題】
【０００４】
しかし、上記各リストボックスを用いた印刷条件の設定は煩雑であり、また、プロパティ等の用語に不慣れな初心者には判り難い、といった問題がある。加えて、印刷条件の設定内容が適切であったか否かは実際に印刷を行ってみなければ判らず、印刷に失敗してその設定内容が適切ではなかったことを把握するなど、印刷用紙を無駄にしてしまう場合があるといった問題点や、何れの設定内容が誤っていたかを見極めることが初心者には難しいといった問題もある。また、用紙サイズや厚さなどに応じた印刷条件を適切に設定したとしても、印刷用紙の光沢や紙質などの用紙種類に応じた印刷条件（例えば、インク濃度など）については、数枚のサンプル印刷を行って定める必要があるため、ここでも印刷用紙の無駄遣いが生じる。
本発明は上記課題に鑑みて為されたものであり、印刷用紙の仕様に応じた印刷条件を簡便かつ適切にプリンタ装置へ設定することを可能にする技術を提供することを目的とする。
【課題を解決するための手段】
【０００５】
上記課題を解決するために、本発明は、外部から与えられる印刷データの表わす文字、図形または画像を用紙トレイにセットされている印刷用紙へ印刷して排紙する処理を、前記印刷用紙の仕様から定まる印刷条件にしたがって実行する印刷部と、前記用紙トレイにセットされ得る複数種の印刷用紙の各々について、その用紙種別に対応付けてその印刷用紙についての印刷条件を示す印刷条件データを格納した管理テーブルと、前記用紙トレイにセットされる印刷用紙の包装からその印刷用紙の用紙種別を示す画像を読み取る画像読み取り部と、前記画像読み取り部により読み取った画像を解析して前記用紙トレイにセットされる印刷用紙の用紙種別を判別する第１の処理と、前記第１の処理にて判別された用紙種別に対応する印刷条件データを前記管理テーブルから読み出す第２の処理と、前記第２の処理により読み出した印刷条件データを前記印刷部に与え、その作動制御を行う第３の処理とを実行する制御部とを有することを特徴とするプリンタ装置、を提供する。
【０００６】
より好ましい態様においては、印刷用紙の用紙種別を示す画像とは、印刷用紙束の包装に付されている販売管理用バーコードの画像であることを特徴とする。
【０００７】
また、上記課題を解決するため、本発明は、文字、図形または画像を表す印刷データと印刷用紙の仕様から定まる印刷条件を示す印刷条件データとをプリンタ装置に与え、そのプリンタ装置の作動制御を行うプリンタ制御装置であって、前記プリンタ装置にセットされ得る複数種の印刷用紙の各々について、その用紙種別に対応付けてその印刷用紙についての印刷条件を示す印刷条件データを格納した管理テーブルと、前記プリンタ装置にセットされる印刷用紙の包装からその印刷用紙の用紙種別を示す画像を読み取る画像読み取り部と、前記画像読み取り部により読み取った画像を解析して前記プリンタ装置にセットされる印刷用紙の用紙種別を判別する第１の処理と、前記第１の処理にて判別された用紙種別に対応する印刷条件データを前記管理テーブルから読み出す第２の処理と、前記第２の処理により読み出した印刷条件データを前記プリンタ装置に与え、その作動制御を行う第３の処理とを実行する制御部とを有することを特徴とするプリンタ制御装置、を提供する。
【発明の効果】
【０００８】
本発明によれば、印刷用紙の仕様に応じた印刷条件を簡便かつ適切にプリンタ装置へ設定することが可能になる。
【発明を実施するための最良の形態】
【０００９】
以下、本発明を実施するための最良の形態について説明する。
（Ａ：第１実施形態）
図１は、本発明の一実施形態に係るプリンタ装置１の電気的な構成例を示す図である。
本実施形態に係るプリンタ装置１は、印刷機能の他に画像読み取り機能を有する所謂複合機であり、図１に示すように、制御部１０、印刷部２０、画像読み取り部３０、記憶部４０および各構成要素間のデータ授受を仲介するバス５０を有している。
【００１０】
制御部１０は、例えばＭＰＵ（Micro Processing Unit）であり、記憶部４０に記憶されている制御プログラムにしたがって作動することによりプリンタ装置１の制御中枢として機能する。上記制御プログラムにしたがって制御部１０が実行する処理については後に明らかにする。
【００１１】
印刷部２０は、プリンタ装置１に設けられている用紙トレイ（図示省略）にセットされている印刷用紙を一枚ずつ取り出し、その印刷用紙に文字や図形、画像を印刷して排紙する処理を制御部１０による制御下で実行するものである。印刷部２０としては、インクジェット方式や電子写真方式、感熱方式などの各種方式の印刷部が考えられるが、本実施形態に係るプリンタ装置１ではインクジェット方式のものが採用されている。このため、印刷部２０には、図１に示すように、インクが充填されているインクカートリッジやインクカートリッジから供給されるインクを印刷用紙に吹き付けることにより印刷を行うプリンタヘッドが含まれている。印刷部２０により実際に印刷を行う際には、印刷用紙の仕様に応じて各種設定を行っておく必要がある。具体的には、印刷用紙の厚さに応じてプリンタヘッドの高さ（印刷用紙とプリンタヘッドとの間隔）を設定したり、印刷用紙の用紙サイズに応じてプリンタヘッドの可動範囲を設定したり、印刷用紙の光沢（用紙表面の滑らかさ）に応じてインクカートリッジからプリンタヘッドへ供給する単位時間当たりのインク量を設定するなどである。本実施形態に係るプリンタ装置１は、これら印刷条件を設定する仕組みに特徴がある。この印刷条件を設定する仕組みについては後に詳細に説明する。
【００１２】
画像読み取り部３０は、所謂フラットベッド式のスキャナ装置であり、プラテンガラスとそのプラテンガラスに載置された原稿の画像を光学的に読み取ってその画像を表す画像データを出力するＣＣＤセンサ（何れも図示省略）とを含んでいる。図２（ａ）は、本実施形態に係るプリンタ装置１の外観の一例を示す図である。図２（ａ）に示すように、プリンタ装置１は、本体１ａと本体１ａの上部に開閉自在に装着されたカバー１ｂとを有しており、本体１ａの上部には画像読み取り部３０が配置されている。本実施形態では、画像読み取り部３０は、プリンタ装置１の用紙トレイにセットされた印刷用紙の用紙種別を示す画像を読み取り、その画像を表わす画像データを制御部１０に引き渡す役割を担っている。詳細については後述するが、本実施形態では、印刷用紙の用紙種別を示す用紙種別識別子として印刷用紙の商品型番が用いられており、印刷用紙の包装（例えば、印刷用紙束の包装紙や図２（ｂ）に示す外袋）に付されている販売管理用バーコード（例えば、ＪＡＮコードやＥＡＮコード、ＵＰＣコードなど）の画像が、上記印刷用紙の用紙種別を示す画像として用いられている。これは、上記販売管理用バーコードは、商品型番を上記ＪＡＮコードなど所定の規格にしたがってエンコードすることにより得られるものだからである。
【００１３】
ところで、図２（ｂ）に示す外袋全体の画像から販売管理用バーコードの画像を抽出するためには、例えばパターンマッチングなどの画像処理を行う必要があるが、上記外袋の画像全体に亘ってパターンマッチングを行うことは非効率的である。そこで、本実施形態では、位置決めマークＭ（図２（ａ）参照）がプラテンガラスの周囲に付されている。プリンタ装置１のユーザは、位置決めマークＭで特定される領域（図２（ａ）でハッチングで示した領域）に販売管理用バーコードが収まるように印刷用紙の包装を載置して販売管理用バーコードの読み取り指示をプリンタ装置１に与えることにより、上記販売管理用バーコードを効率的に読み取らせることができるのである。
【００１４】
記憶部４０は、図１に示すように不揮発性記憶部４１と揮発性記憶部４２とを含んでいる。不揮発性記憶部４１は、例えばＦｌａｓｈＲＯＭであり、制御プログラム４１０と管理テーブル４１１を格納している。一方、揮発性記憶部４２は、例えばＲＡＭであり、制御部１０が制御プログラム４１０を実行する際のワークエリアの役割を担う。制御プログラム４１０は、本発明に特徴的な印刷条件設定処理を制御部１０に実行させるプログラムである。管理テーブル４１１は、制御プログラム４１０の実行過程で参照されるテーブルであり、この管理テーブル４１１にはプリンタ装置１の用紙トレイにセットされ得る各種印刷用紙の各々の用紙種別に対応付けてその印刷用紙の仕様に応じた印刷条件を示す印刷条件データが格納されている。図３は、管理テーブル４１１の一例を示す図である。図３に示すように、管理テーブル４１１には、プリンタ装置１の用紙トレイ（図示省略）にセットされる得る各種印刷用紙の各々について、その用紙種別を示す用紙種別識別子と、その印刷用紙の仕様（用紙サイズ、厚さおよび光沢）を示す仕様データとその仕様に応じた印刷条件（印刷範囲、プリンタヘッドの高さおよび解像度）を示す印刷条件データとが格納されている。
【００１５】
制御部１０は、プリンタ装置１に備わる操作部（図示省略）に設けられている印刷条件設定ボタンが操作されたことを契機として不揮発性記憶部４１から揮発性記憶部４２へ制御プログラム４１０をロードし、その実行を開始する。制御部１０は、制御プログラム４１０にしたがって、図１に示す用紙種別判別処理４１０ａ、印刷条件特定処理４１０ｂおよび印刷制御処理４１０ｃの３つの処理を実行する。
【００１６】
用紙種別判別処理４１０ａは、画像読み取り部３０から引き渡される画像データを解析し用紙トレイにセットされた印刷用紙の用紙種別を判別する処理である。本実施形態では、画像読み取り部３０から販売管理用バーコードの画像を表す画像データが制御部１０に引き渡されるため、制御部１０は、その販売管理用バーコードをデコードして商品型番（すなわち、本実施形態の用紙種別識別子）を取得することにより上記用紙種別の判別を行う。印刷条件特定処理４１０ｂは、用紙種別判別処理４１０ａにて判別された用紙種別に対応する印刷条件データを管理テーブル４１１から読み出すことにより、用紙トレイにセットされた印刷用紙の仕様に応じた印刷条件を特定する処理である。本実施形態では、用紙種別判別処理４１０ａにおいて、用紙トレイにセットされた印刷用紙についての用紙種別識別子が取得されるため、印刷条件特定処理４１０ｂにおいては、上記用紙種別識別子に対応付けて管理テーブル４１１に格納されている印刷条件データが読み出される。そして、印刷制御処理４１０ｃは、印刷対象の文字や図形、画像を表すデータとして外部から与えられる印刷データ（例えば、プリンタドライバにしたがって作動するＰＣなどのプリンタ制御装置からＵＳＢケーブルを介して与えられるデータ）の表す文字等を印刷用紙に印刷して排紙するよう印刷部２０の作動制御を行う処理である。より詳細に説明すると、印刷制御処理４１０ｃでは、印刷条件特定処理４１０ｂで取得された印刷条件データにしたがって印刷部２０のプリントヘッドの高さや可動範囲、およびインクカートリッジからプリントヘッドへの単位時間当たりのインクの供給量が設定され、外部から与えられた印刷データにしたがってプリンタヘッド等の駆動制御が行われる。
以上がプリンタ装置１の構成である。
【００１７】
次いで、プリンタ装置１に印刷条件を設定する手順の一例について図面を参照しつつ説明する。図４は、プリンタ装置１に印刷用紙およびその印刷用紙の仕様に応じた印刷条件を設定する手順を示すフローチャートである。図４に示すように、プリンタ装置１のユーザは、まず、プリンタ装置１の用紙トレイ（図示省略）にセットし得る各種印刷用紙のうちから、自身の目的に則したものを選択し、上記用紙トレイにセットする（ステップＳＡ１００）。例えば、ハガキの宛名印刷を目的とする場合には、ハガキサイズの印刷用紙を上記用紙トレイにセットし、音楽ＣＤに貼り付けるラベルの印刷を目的とする場合には、ＣＤ／ＤＶＤレーベル用紙を上記用紙トレイにセットする。
【００１８】
次いで、ユーザは、ステップＳＡ１００にてプリンタ装置１の用紙トレイにセットした印刷用紙の包装（本実施形態では、図２（ｂ）に示す印刷用紙の外袋）を、販売管理用バーコードが前述した位置決めマーカで示される領域に収まるようにプラテンガラス上に載置し、印刷条件設定ボタンを操作する（ステップＳＡ１１０）。この操作が契機となって、本発明に係るプリンタ装置に特徴的な処理（具体的には、図１に示す３つの処理）が順次実行され（ステップＳＡ１２０〜ＳＡ１４０）、上記用紙トレイにセットした印刷用紙の仕様に応じた印刷条件が設定されるのである。
【００１９】
以上説明したように、本実施形態に係るプリンタ装置１によれば、用紙トレイにセットする印刷用紙の包装を、その販売管理用バーコード部分が位置決めマーカで示される領域に対向するようにプラテンガラスに載せて所定の操作子（本実施形態では、印刷条件設定ボタン）を操作するだけで、その印刷用紙の仕様に応じた印刷条件がプリンタ装置１に設定される。このため、本実施形態によれば、デジカメの普及に伴い写真の自家プリントを始めた初心者であっても、印刷用紙の仕様に応じて定まる印刷条件を簡便かつ正確に設定することが可能になり、従来のように印刷用紙を無駄遣いすることが回避される。
【００２０】
（Ｂ：他の実施形態）
図５は、本発明の別の実施形態に係るプリンタ制御装置２と、例えばＵＳＢケーブルなどの通信線によりプリンタ制御装置２に接続され、プリンタ制御装置２によって作動制御が行われるインクジェット方式のプリンタ装置であるプリンタ装置３とを含んでいる印刷システムの構成例を示すブロック図である。本実施形態に係るプリンタ装置３は、前述したプリンタ装置１とは異なり、画像読み取り部３０を有さない一般的なプリンタ装置である。本実施形態では、販売管理用バーコードを読み取る役割を担う画像読み取り部３０として機能するフラットベット方式のスキャナ装置がプリンタ制御装置２に接続されている点に特徴がある。
【００２１】
図６は、プリンタ制御装置２の構成例を示すブロック図である。なお、図６において、プリンタ装置１と同一である構成要素については図１と同一の符号が付されている。プリンタ制御装置２は、例えばＰＣであり、図６に示すように、印刷部２０を有していない他はプリンタ装置１と同じ構成を有している。プリンタ制御装置２の不揮発性記憶部４１にも前述した制御プログラム４１０と管理テーブル４１１とが格納されており、プリンタ制御装置２の制御部１０は、制御プログラム４１０にしたがって作動することにより、前述した３つの処理を実行する。すなわち、制御プログラム４１０にしたがって作動している制御部１０は、画像読み取り部３０により読み取った画像（販売管理バーコード）を解析して用紙種別を判別する用紙種別判別処理４１０ａ、用紙種別判別処理４１０ａにより判別された用紙種別に対応する印刷条件データを管理テーブル４１１から読み出す印刷条件特定処理４１０ｂ、および、その印刷条件データを、ＵＳＢケーブルを介して接続されているプリンタ装置３に与えその作動制御を行う印刷制御処理４１０ｃを実行する。このため、プリンタ装置３の用紙トレイにセットされる印刷用紙の包装に付されている販売管理用バーコードを画像読み取り部３０に読み取らせるようにすれば、前述した第１実施形態と同様に印刷用紙の仕様に応じて定まる印刷条件を簡便かつ正確に設定することが可能になる。加えて、本実施形態によれば、プリンタ装置３が画像読み取り部３０を備えた複合機である必要はないため、一般的なプリンタ装置に対して、その用紙トレイにセットされる印刷用紙の仕様に応じて定まる印刷条件をそのプリンタ装置に簡便かつ正確に設定することが可能になる。
【００２２】
（Ｃ：変形）
以上、本発明の実施形態について説明したが、係る実施形態に以下に述べる変形を加えても良いことは勿論である。
（１）上述した実施形態では、印刷用紙の用紙種別識別子として商品型番を用いたが、製造元の名称と商品名とを表わす文字列を用紙種別識別子として用いても良い。印刷用紙の包装には、これら製造元の名称や商品名を表わす文字列が付されていることが一般的だからである、なお、かかる態様においては、販売管理用バーコードの画像ではなく、上記製造元の名称や商品名を示す文字列の画像を、印刷用紙の用紙種別を示す画像として用いれば良い。
【００２３】
（２）上述した実施形態では、フラットベット方式のスキャナ装置で画像読み取り部３０を構成したが、他の方式のスキャナ装置で画像読み取り部３０を構成しても勿論良く、また、上記各実施形態のように販売管理用バーコードの画像を用紙種別を示す画像として用いる態様においては、所謂ＰＯＳ端末で利用されているバーコードリーダで画像読み取り部３０を構成しても良い。
【００２４】
（３）上述した実施形態では、インクジェット方式のプリンタ装置に対して印刷用紙の仕様に応じた印刷条件を設定したが、例えば電子写真方式など他の印刷方式のプリンタ装置に対しても本発明により、印刷用紙の仕様に応じた印刷条件を簡便かつ適切に設定することができることは言うまでもない。例えば、電子写真方式のプリンタ装置に対しては、印刷用紙の厚さに応じた加熱温度や押圧量を示す印刷条件データと、印刷用紙の光沢に応じたトナー濃度を示す印刷条件データとをその印刷用紙の用紙種別識別子に対応付けて管理テーブル４１１に格納しておけば良い。
【００２５】
（４）上述した実施形態では、用紙種別識別子に仕様データと印刷条件データとを対応付けて格納することにより管理テーブルを構成した。しかし、仕様データは本発明に特徴的な印刷条件設定処理では必ずしも参照されないため、用紙種別識別子に印刷条件データのみを対応付けて管理テーブルを構成しても良い。
【００２６】
（５）上述した実施形態では、本発明に特徴的な印刷条件設定処理をＭＰＵなどの制御部に実行させる制御プログラムや管理テーブルがプリンタ装置の記憶部やプリンタ制御装置の記憶部に予め記憶されていた。しかし、これら制御プログラムや管理テーブルをＣＤ−ＲＯＭ（Compact Disk-Read Only memory）などのコンピュータ装置読み取り可能な記録媒体に書き込んで配布しても良く、また、インターネットなどの電気通信回線を介したダウンロードにより配布しても良い。このようにして配布される制御プログラムをパーソナルコンピュータなどのコンピュータ装置や一般的な複合機に記憶させることによって、そのコンピュータ装置に本発明に係るプリンタ制御装置と同一の機能を付与することや、上記複合機に本発明に係るプリンタ装置と同一の機能を付与することが可能になるからである。
【図面の簡単な説明】
【００２７】
【図１】本発明の第１実施形態に係るプリンタ装置１の電気的構成の一例を示すブロック図である。
【図２】同プリンタ装置１の外観の一例と、同プリンタ装置１にセットされる印刷用紙の包装の一例を示す図である。
【図３】同プリンタ装置１の不揮発性記憶部４１に格納されている管理テーブル４１１の一例を示す図である。
【図４】同プリンタ装置１についての印刷条件設定手順を示す図である。
【図５】本発明の他の実施形態に係るプリンタ制御装置２を含む印刷システムの構成例を示す図である。
【図６】同プリンタ制御装置２の構成例を示す図である。
【図７】従来の印刷条件設定手順の一例を示す図である。
【符号の説明】
【００２８】
１，３…プリンタ装置、２…プリンタ制御装置、１０…制御部、２０…印刷部、３０…画像読み取り部、４０…記憶部、４１…不揮発性記憶部、４２…揮発性記憶部、５０…バス、４１０…制御プログラム、４１０ａ…用紙種別判別処理、４１０ｂ…印刷条件特定処理、４１０ｃ…印刷制御処理、４１１…管理テーブル。
【図１】
2009051160.tif 000003
【図２】
2009051160.tif 000004
【図３】
2009051160.tif 000005
【図４】
2009051160.tif 000006
【図５】
2009051160.tif 000007
【図６】
2009051160.tif 000008
【図７】
2009051160.tif 000009